(57)【要約】【課題】  ２つのモニタ装置を同時使用する際の使用方法を工夫し、所望の撮影結果が得られる可能性を高める。【解決手段】  撮像素子と、撮像素子にて撮像された被写体画像を画像記録媒体に記録する記録装置と、第１，第２のモニタ装置１６，１５とを備え、第１のモニタ装置１６に、撮像素子で繰り返し撮像される画像を逐次更新表示すると同時に、第２のモニタ装置１５に、撮像素子によって撮像された撮影補助のための画像を表示する。撮影補助のための画像は、例えば画像記録媒体に記録されている単数または複数の画像とされる。第１のモニタ装置に表示されている画像の一部を拡大した画像であってもよい。【選択図】        図５
2006101466.tif 000002
【特許請求の範囲】
【請求項１】
撮像素子と、該撮像素子にて撮像された被写体画像を画像記録媒体に記録する記録装置と、前記画像記録媒体に記録されている被写体画像を再生する再生装置と、第１，第２のモニタ装置とを備え、
前記第１のモニタ装置に、前記撮像素子で繰り返し撮像される画像を逐次更新表示すると同時に、前記第２のモニタ装置に、前記撮像素子によって撮像された撮影補助のための画像を表示することを特徴とするデジタルスチルカメラ。
【請求項２】
前記第２のモニタ装置に表示される画像は、前記再生装置によって再生された画像であることを特徴とする請求項１に記載のデジタルスチルカメラ。
【請求項３】
前記第２のモニタ装置に表示される画像は、前記再生装置によって再生された複数の画像であることを特徴とする請求項２に記載のデジタルスチルカメラ。
【請求項４】
撮像素子と、該撮像素子にて撮像された被写体画像を画像記録媒体に記録する記録装置と、前記画像記録媒体に記録されている被写体画像を再生する再生装置と、第１，第２のモニタ装置とを備え、
前記第１のモニタ装置に、前記再生装置によって再生された画像を表示すると同時に、前記第２のモニタ装置に、前記第１のモニタ装置に表示された画像に関連する画像、または前記第１のモニタ装置に表示すべき画像の選択を補助するための画像を表示することを特徴とするデジタルスチルカメラ。
【請求項５】
前記第２のモニタ装置に表示される画像は、前記第１のモニタ装置に表示されている画像の一部を拡大した画像であることを特徴とする請求項１または４に記載のデジタルスチルカメラ。
【請求項６】
前記拡大表示される画像は、前記第１のモニタ装置に表示される画像のフォーカス部分を含む画像であることを特徴とする請求項５に記載のデジタルスチルカメラ。
【請求項７】
前記拡大表示される箇所を示す枠を第１のモニタ装置の画像に重ねて表示することを特徴とする請求項５または６に記載のデジタルスチルカメラ。
【請求項８】
前記第２のモニタ装置に表示される画像は、前記第１のモニタ装置に表示される画像にホワイトバランス変更処理を施した画像であることを特徴とする請求項１または４に記載のデジタルスチルカメラ。
【請求項９】
ホワイトバランスの異なる複数の画像を前記第２のモニタ装置に表示するとともに、その中からいずれかの画像を選択すると、そのホワイトバランス設定が次の撮影または前記第１のモニタ装置に表示されている画像のデータに反映されるようにしたことを特徴とする請求項８に記載のデジタルスチルカメラ。
【請求項１０】
前記第２のモニタ装置に、前記再生装置によって再生された複数のサムネイル画像を表示し、該表示された複数の画像からいずれかが選択されると、その選択されたサムネイル画像に対応する画像を前記第１のモニタ装置に拡大表示することを特徴とする請求項４に記載のデジタルスチルカメラ。
【請求項１１】
撮像素子と、該撮像素子にて撮像された被写体画像を画像記録媒体に記録する記録装置と、前記画像記録媒体に記録されている被写体画像を再生する再生装置と、第１，第２のモニタ装置とを備え、
前記第１のモニタ装置に、前記撮像素子で繰り返し撮像される被写体画像を逐次更新表示する、または前記再生装置によって再生された画像を表示すると同時に、該第１のモニタ装置に表示されている画像の特性および／または撮影条件を示す情報を前記第２のモニタ装置に表示することを特徴とするデジタルスチルカメラ。
【請求項１２】
前記第２のモニタ装置に表示される情報は、前記第１のモニタ装置に表示されている画像の輝度分布を表すヒストグラムを含むことを特徴とする請求項１１に記載のデジタルスチルカメラ。
【請求項１３】
前記第１，第２のモニタ装置のいずれか一方は、表示画面の向きが可変とされ、その向きの変更により、少なくとも第１，第２のモニタ装置の表示画面が同一方向を向いて並ぶ状態をとり得ることを特徴とする請求項１〜１２のいずれかに記載のデジタルスチルカメラ。
【請求項１４】
前記画面の向きの変更により、前記第１，第２のモニタ装置の表示画面が互いに対向して隠蔽される格納状態をとり得ることを特徴とする請求項１３に記載のデジタルスチルカメラ。
【請求項１５】
前記第１，第２のモニタ装置が操作者によって同時に視認し得る角度関係にあるか否かを検出する検出手段を備え、同時に視認し得る角度関係にない場合にはいずれか一方のモニタ装置を消灯することを特徴とする請求項１３または１４に記載のデジタルスチルカメラ。
【請求項１６】
撮像素子と、該撮像素子にて撮像された被写体画像を画像記録媒体に記録する記録装置と、第１，第２のモニタ装置とを備え、
前記第１のモニタ装置の表示画面が撮影者側を向き、前記第２のモニタ装置の表示画面が被写体側を向く状態で、両表示画面に、前記撮像素子で繰り返し撮像される被写体画像を逐次更新表示することを特徴とするデジタルスチルカメラ。
【請求項１７】
撮像素子と、該撮像素子にて撮像された被写体画像を画像記録媒体に記録する記録装置と、第１，第２のモニタ装置とを備え、
セルフタイマモード設定時、前記第１のモニタ装置の表示画面が撮影者側を向き、前記第２のモニタ装置の表示画面が被写体側を向く状態で、前記第１のモニタ装置の表示画面に、前記撮像素子で繰り返し撮像される被写体画像を逐次更新表示するとともに、前記第２のモニタ装置の表示画面にセルフタイマのカウントダウン表示を行うことを特徴とするデジタルスチルカメラ。
【発明の詳細な説明】
【技術分野】
【０００１】
本発明は、画像を表示可能なモニタ装置を有するデジタルスチルカメラに関する。
【背景技術】
【０００２】
例えばボディの背面に液晶モニタを有し、撮像素子で繰り返し撮像される被写体画像を液晶モニタに逐次更新表示することで、液晶モニタをファインダ代わりに使用することが可能なデジタルスチルカメラがある。この種のカメラは、再生モードを設定することで、既に撮像され記録された画像を液晶モニタに表示させることもできる。
【０００３】
一方、カメラ機能を持った携帯電話機で、液晶モニタを２つ備えたものがある（例えば、特許文献１参照）。
【０００４】
【特許文献１】特開２００２−９４６２５号公報
【発明の開示】
【発明が解決しようとする課題】
【０００５】
しかしながら、特許文献１の２つのモニタは、次に行うべき撮影や再生モードにおける便宜を図るために使用されるものではない。
【課題を解決するための手段】
【０００６】
請求項１の発明に係るデジタルスチルカメラは、撮像素子と、該撮像素子にて撮像された被写体画像を画像記録媒体に記録する記録装置と、前記画像記録媒体に記録されている被写体画像を再生する再生装置と、第１，第２のモニタ装置とを備え、第１のモニタ装置に、撮像素子で繰り返し撮像される画像を逐次更新表示すると同時に、第２のモニタ装置に、前記撮像素子によって撮像された撮影補助のための画像を表示する。
請求項２，３の発明では、再生装置によって再生された単数または複数の画像が第２のモニタ装置に表示される。
請求項４の発明に係るデジタルスチルカメラは、第１のモニタ装置に、再生装置によって再生された画像を表示すると同時に、第２のモニタ装置に、第１のモニタ装置に表示された画像に関連する画像、または第１のモニタ装置に表示すべき画像の選択を補助するための画像を表示する。
請求項５〜７の発明では、第１のモニタ装置に表示されている画像の一部を拡大した画像を第２のモニタ装置に表示する。特に請求項６の発明では、拡大画像がフォーカス部分を含む。請求項７の発明では、拡大表示される箇所を示す枠を第１のモニタ装置の画像に重ねて表示する。
請求項８，９の発明では、第１のモニタ装置に表示される画像にホワイトバランス変更処理を施した画像を第２のモニタ装置に表示する。特に請求項９の発明では、ホワイトバランスの異なる複数の画像を第２のモニタ装置に表示するとともに、その中からいずれかの画像を選択すると、そのホワイトバランス設定が次の撮影または第１のモニタ装置に表示されている画像のデータに反映される。
請求項１０の発明では、第２のモニタ装置に、再生装置によって再生された複数のサムネイル画像を表示し、表示された複数の画像からいずれかが選択されると、その選択されたサムネイル画像に対応する画像を第１のモニタ装置に拡大表示する。
請求項１１，１２の発明に係るデジタルスチルカメラは、第１のモニタ装置に、撮像素子で繰返し撮像される被写体画像を逐次更新表示する、または再生装置によって再生された画像を表示すると同時に、第１のモニタ装置に表示されている画像の特性および／または撮影条件を示す情報を第２のモニタ装置に表示する。
特に請求項１２の発明では、第２のモニタ装置に表示される情報が、第１のモニタ装置に表示されている画像の輝度分布を表すヒストグラムを含む。
請求項１３〜１５の発明では、第１，第２のモニタ装置のいずれか一方は、表示画面の向きが可変とされ、その向きの変更により、少なくとも第１，第２のモニタ装置の表示画面が同一方向を向いて並ぶ状態をとり得る。
特に請求項１４の発明では、画面の向きの変更により、第１，第２のモニタ装置の表示画面が互いに対向して隠蔽される格納状態をとり得る。また請求項１５の発明では、第１，第２のモニタ装置が操作者によって同時に視認し得る角度関係にあるか否かを検出する検出手段を備え、同時に視認し得る角度関係にない場合にはいずれか一方のモニタ装置を消灯する。
請求項１６，１７の発明に係るデジタルスチルカメラは、撮像素子と、撮像素子にて撮像された被写体画像を画像記録媒体に記録する記録装置と、第１，第２のモニタ装置とを備える。
請求項１６の発明では、、第１のモニタ装置の表示画面が撮影者側を向き、第２のモニタ装置の表示画面が被写体側を向く状態で、両表示画面に撮像素子で繰り返し撮像される被写体画像を逐次更新表示する。
請求項１７の発明では、セルフタイマモード設定時、第１のモニタ装置の表示画面が撮影者側を向き、第２のモニタ装置の表示画面が被写体側を向く状態で、第１のモニタ装置の表示画面に、撮像素子で繰り返し撮像される被写体画像を逐次更新表示するとともに、第２のモニタ装置の表示画面にセルフタイマのカウントダウン表示を行う。
【０００７】
ここで、特許請求の範囲および本明細書における「・・と同時に」の文言は、単なる並列的な意味合いではなく、時間的な同時を意味する。
【発明の効果】
【０００８】
請求項１の発明によれば、第１のモニタ装置に前記撮像素子で繰り返し撮像される画像を逐次更新表示すると同時に、第２のモニタ装置に前記撮像素子によって撮像された撮影補助のための画像を表示するようにしたので、一方のモニタ装置で補助画像を確認しつつ他方のモニタ装置を見ながら構図確認が行え、単一のモニタしか持たないものと比べて所望の撮影結果を得る可能性を高めることが可能となる。
請求項４の発明によれば、第１のモニタ装置に、再生装置によって再生された画像を表示すると同時に、第２のモニタ装置に、第１のモニタ装置に表示された画像に関連する画像、または第１のモニタ装置に表示すべき画像の選択を補助するための画像を表示するようにしたので、画像再生時にその関連画像を同時に見ることができる、あるいは画像選択を補助するための画像を消すことなく、表示したい画像を確認でき、画像選択の便宜を図ることができる。
請求項１１の発明によれば、第１のモニタ装置に、撮像素子で繰返し撮像される被写体画像を逐次更新表示する、または再生装置によって再生された画像を表示すると同時に、第１のモニタ装置に表示されている画像の特性および／または撮影条件を示す情報を第２のモニタ装置に表示するようにしたので、画像の情報を画像に重ねて表示することなく確認でき、画像および情報の双方の視認性が高まる。
請求項１６の発明によれば、第１のモニタ装置の表示画面が撮影者側を向き、第２のモニタ装置の表示画面が被写体側を向く状態で、両表示画面に撮像素子で繰り返し撮像される被写体画像を逐次更新表示するようにしたので、人物撮影の際、撮影者と被撮影者の双方が構図を確認して写真撮影を行える。
請求項１７の発明によれば、セルフタイマモード設定時、第１のモニタ装置の表示画面が撮影者側を向き、第２のモニタ装置の表示画面が被写体側を向く状態で、第１のモニタ装置の表示画面に、撮像素子で繰り返し撮像される被写体画像を逐次更新表示するとともに、第２のモニタ装置の表示画面にセルフタイマのカウントダウン表示を行うようにしたので、セルフタイマ撮影時に被撮影者はあと何秒で撮影が行われるかを確認できる。
【発明を実施するための最良の形態】
【０００９】
図１〜図１４により本発明の一実施の形態を説明する。
図１〜図３は本実施形態におけるデジタルスチルカメラの正面図および背面図である。カメラ本体１０には、前面に撮影レンズ１１が設けられるとともに、上面にレリーズボタン１２が設けられている。またカメラ本体１０の背面には、ファインダ接眼部１３や複数の操作部材１４が設けられるとともに、開閉式および固定式の２つのカラー液晶モニタ１５，１６が設けられている。これらのモニタ１５，１６は、ほぼ同寸法の矩形の液晶画面１５ａ，１６ａをそれぞれ有する。
【００１０】
開閉式モニタ１５はフリーアングル式とされ、ヒンジ部１７を介してカメラ上下方向の軸（Ｙ軸）に対して回転可能とされるとともに、Ｙ軸と直交するＸ軸に対しても回転可能である。したがって、Ｘ，Ｙ軸回りの回転により、画面１５ａの向きを自由に変更することができる。一方、固定式モニタ１６は、カメラ背面に固定的に設けられており、画面１６ａは常に背面方向（撮影者側）を向く。
【００１１】
図２は開閉式モニタ１５を閉じた状態を示し、このとき、画面１５ａが固定式モニタ１６の画面１６ａに被さるようにして両画面１５ａ，１６ａが隠蔽される。図３は開閉式モニタ１５をＹ軸回りに約１８０度開いた状態を示し、双方の画面１５ａ，１６ａが横に並んだ状態で露出する。
【００１２】
図４は制御系のブロック図である。撮影レンズ１１を透過した被写体光束は、ＣＣＤ等の撮像素子２１の受光面に結像され、撮像素子２１は、結像された被写体像の光強度に応じた電気信号（撮像信号）を出力する。撮像信号は、Ａ／Ｄ変換器２２によりデジタル信号に変換された後、信号処理回路２３で種々の画像処理が施される。信号処理後の画像データは、バッファメモリ２４に記憶された後、記録回路２５を介してメモリカードＭＣに記録される。記録の際、画像データは必要に応じて画像圧縮回路２６で所定の圧縮形式に圧縮される。上記各回路は、ＣＰＵ２７により制御される。
【００１３】
開閉式／固定式モニタ１５，１６は、画面１５ａ，１６ａの他に、液晶駆動部、バックライト、バックライト制御部などをそれぞれ有する。ＣＰＵ２７は、液晶駆動部およびバックライト制御部に指示を出し、画面１５ａ，１６ａに画像データに基づく画像を表示したり、他の情報を表示する。画像表示としては、撮像素子２１で繰り返し撮像される被写体画像を逐次更新表示する表示形態（以下、スルー画表示と呼ぶ）と、メモリカードＭＣに記録されている画像を読み出して表示する表示形態（以下、再生画表示と呼ぶ）とがある。
なお、ＣＰＵ２７には、上記レリーズボタン１２や操作部材１４を含む操作部２８や、制御に必要な情報を格納するＲＯＭやＲＡＭ等のメモリ２９が接続されている。
【００１４】
次に、開閉式／固定式モニタ１５，１６を用いた撮影補助機能について説明する。カメラは、以下の（１）〜（６）の機能を全て備えており、例えばカスタム設定により撮影者が所望の機能を選択設定できるようになっている。カメラが状況を判断していずれかの機能を自動設定するようにしてもよい。
【００１５】
（１）スルー画／再生画同時表示（図５）
通常の撮影モード設定時、ＣＰＵ２７は、固定式モニタ１６に上記スルー画表示を行うと同時に、開閉式モニタ１５に再生画表示を行う。再生画表示はサムネイル表示とされ、記録済み画像が複数ある場合には、複数の画像が１画面に分割表示される。撮影者は、画面１６ａでスルー画を見ながら構図を決定できるが、その際、画面１５ａに表示された複数の撮影済み（記録済み）画像を常に間近で確認できる。このため、例えば「このような構図で既に撮影したから、次は構図を変えよう」とか、「この構図は気に入ったから、同じ構図でもう数枚撮影しておこう」などと考えながら構図を決定でき、撮影済み画像を考慮に入れた形での構図決定が円滑に行える。特に開閉式モニタ１５を１８０度開いた状態では、２つの画面１５ａ，１６ａがほぼ同一平面上に並ぶので、両画面を確認し易い。ただし、必ずしも開放角は１８０度でなくてもよい。
【００１６】
構図が決まったら、そのままレリーズボタン１２を操作することで撮影を行なえ、その撮影画像は上記の手順でメモリカードＭＣに記録される。記録が終了したら、画面１５ａのサムネイル画像を入れ替え、常に最新の記録済み画像が表示されるようにすることが望ましい。
【００１７】
因みに、単一のモニタしか持たない従来カメラにおいて、構図決定にあたって記録済み画像を確認したい場合は、いったん撮影モードから再生モードに切換え、再生画を確認してから再び撮影モードに戻すという手順を踏む必要がある。これは手間がかかるばかりでなく、再生画表示ではスルー画は非表示であるから、再生画とスルー画を同時に見て比較することができない。このため構図の決定が円滑に行えず、場合によっては撮影モードと再生モードの切換えを何度も行わねばならない。
【００１８】
（２）スルー画／ヒストグラム同時表示（図６）
画像におけるヒストグラムとは、画像の輝度分布をグラフ化したもので、一般に横軸に輝度を、縦軸に度数をとっている。グラフにはカメラで設定した露出値が反映され、露出アンダーな画像はグラフの重心が左に傾き、露出オーバーな画像は右に傾く。したがって、スルー画のヒストグラムをリアルタイム表示できれば、ヒストグラムの状態を見ながら露出補正など行うことで、露出アンダーやオーバー（特に黒つぶれや白とび）を最小限に抑えることができる。そこで、本機能を選択した場合には、固定式モニタ１６にスルー画表示を行うと同時に、開閉式モニタ１５にそのスルー画のヒストグラムをリアルタイム表示する。図６の符号３１がヒストグラム表示を示している。これによれば、スルー画を損なうことなく、また縮小表示することもなく、しかもヒストグラムグラムを大きく表示でき、構図決定に支障を来すことなく露出決定が円滑に行える。符号３２で示すように、ヒストグラムに加えてファイルモード、絞り値、シャッタ秒時などの撮影条件や、その他の情報を表示するようにしてもよい。
【００１９】
因みに、単一のモニタしか持たない従来カメラでは、ヒストグラム表示の際、画像の一部に重ね合わせて表示するか、画像を縮小表示して余白にヒストグラム表示を行っている。いずれにしても画像が確認しづらく、構図決定に支障を来すのに加えて、ヒストグラム自体も小さく見づらい。
【００２０】
（３）スルー画／拡大画同時表示（図７）
一般に液晶モニタは画素数がそれほど多くなく、また小型であるため、スルー画を見てピント状態まで確認するのは困難である。そこで本機能を選択した場合には、固定式モニタ１６にスルー画表示を行うと同時に、開閉式モニタ１５にそのスルー画のフォーカス部周辺を拡大表示する。フォーカス部周辺とは、画面内のフォーカスエリア（複数ある場合には選択されたエリア）を中心とし、その周囲部部分を含めた領域を指す。ＣＰＵ２７は、不図示の焦点調節装置によって上記エリアに対する焦点調節を行うとともに、上記フォーカス部周辺の拡大表示を開閉式モニタ１５に対して行う。拡大表示を行うことで、液晶モニタであってもフォーカス状態（合焦の有無）を容易に確認でき、ピンぼけを防止できる。しかも、このときスルー画全体が別の画面に表示されているので、構図決定に支障を来すこともない。
【００２１】
（４）スルー画／ＷＢバリエーション同時表示（図８）
デジタルスチルカメラはホワイトバランス（ＷＢ）が変更可能とされ、その変更はメニューから選択することで行うのが一般的である。ホワイトバランスの変更によって画像の色合いが変わるが、その効果は実際に変更を行うまで分からず、イメージ通りの色合いに仕上げるには多くの経験を必要とする。そこで本機能を選択した場合には、固定式モニタ１６にスルー画表示を行うと同時に、開閉式モニタ１５に、ホワイトバランスの異なる複数のスルー画を縮小表示する。撮影者は、縮小画像の中から好みの（例えば実際の色合いに最も近い）画像を操作部材によって選択することができる。選択がなされると、ＣＰＵ２７は選択画像のホワイトバランスを撮影用のホワイトバランスとして設定する。これにより、初心者でも簡単に好みの色合いの写真を得ることが可能となる。
【００２２】
以上の（１）〜（４）では、固定式モニタ１６にスルー画を表示し、開閉式モニタ１５に撮影補助のための表示を行うようにしたが、その逆でもよい。またいずれにスルー画を表示するかを撮影者が選択できるようにしてもよい。
【００２３】
（５）スルー画２方向表示（図９）
本機能では、開閉式／固定式モニタ１５，１６の双方に同一のスルー画を表示する。上述したように、開閉式モニタ１５はフリーアングル式であり、図３の状態でモニタ１５をＸ軸回りに回転することで、画面１５ａを被写体側に向けることができる。このときに本機能が選択されていれば、人物撮影の場合に被写体側と撮影者側の双方でスルー画を確認できる。被撮影者は、自分自身の姿を見ながら表情やポーズを決めることができ、また構図に対して撮影者に注文を出すこともできる。これにより、撮影者と被撮影者の双方の主張を取り入れた新しい撮影スタイルが確立される。
【００２４】
（６）スルー画／カウントダウン同時表示（図１０）
本機能では、セルフタイマモード設定時、固定式モニタ１６にスルー画を表示すると同時に、開閉式モニタ１５にセルフタイマのカウントダウン表示を行う。この表示は、モニタ１５の画面１５ａを被写体側に向けることで被写体側から確認できる。例えば、レリーズ操作から撮影までの時間が５秒であるとすると、「５」→「４」→・・・→「１」→「０」のように表示を行い、「０」のときに撮影を行う。数字を画面１５ａに大きく表示することで、被撮影者は確実にレリーズタイミングを把握でき、知らないうちにレリーズが行われていたというような不都合はなくなる。セルフタイマモードの設定と同時にこの機能が自動選択されるようにすることが望ましい。
【００２５】
ここで、１回の操作で複数枚のセルフタイマ撮影を行うモード（例えばダブルセルフ）では、撮影の合間に「もう一枚」などの表示を行い、再度カウントダウン表示を行うようにしてもよい。またセルフタイマ撮影時には、固定式モニタ１６は視認されない可能性が高いので、これが自動的に消灯される機能を選択できるようにしてもよい。
【００２６】
なお、上記（１）〜（６）以外に、例えば一方のモニタにカメラの使用方法や地図情報などが表示される機能を付加してもよい。
【００２７】
以上では通常の撮影モード時の表示例を示したが、以下では再生モード時の表示について説明する。
カメラを撮影モードから再生モードに切換えると、既にメモリカードＭＣに記録されている画像を読み出してモニタ画面に表示することができる（再生画表示）。記録されている各画像ファイルは本画像の他にサムネイル画像を含んでおり、複数のサムネイル画像を画面に同時に表示し、そのいずれかを選択すると、選択されたサムネイル画像に対応する本画像が画面全体に表示されるのが一般的である。
【００２８】
カメラは、再生モード時の表示機能として以下の（７）〜（１１）を備えており、例えばカスタム設定により撮影者が所望の機能を選択設定できるようになっている。
【００２９】
（７）再生画／撮影情報同時表示
本機能では、一方のモニタに再生画（本画像）を表示し、他方のモニタにその再生画に関する情報を表示する。再生画に関する情報とは、例えばファイルモード、絞り値、シャッタ秒時等の撮影条件や、ヒストグラムなどであり、これらの情報はExif形式で画像とともに保存されているものを読み出して表示する。Exif情報には他にも複数の情報があり、その全ての情報を表示候補とし、必要な情報を選択して表示できるようにすると便利である。予め決められた幾つかの情報だけが表示されるようにしてもよい。固定式モニタ１６に再生画を、開閉式モニタ５に情報をそれぞれ表示する場合、例えば図６と同様の表示となる。ただし、図６では固定式モニタ５の画像がスルー画であったが、ここでは再生画となる。
【００３０】
因みに、単一のモニタしか持たない従来カメラでは、画像とその情報とを同時に表示するには、画像に重ねて情報を表示するしかなく、これでは画像および情報のいずれもが見づらい。本実施形態では、画像と情報とが別々の位置に同時に表示されるので、双方とも見やすい。
【００３１】
（８）本画像／サムネイル同時表示（図１１）
本機能では、再生モード時に一方のモニタが本画像専用となり、他方のモニタがサムネイル専用となる。図１１は固定式モニタ１６に本画像表示を、開閉式モニタ１５をサムネイル表示を行う例を示し、開閉式モニタ１５のサムネイル画像からいずれかを選択すると、それに対応する本画像が固定式モニタ１６に表示される。これによれば、本画像を表示しているときもサムネイル表示を消さずに済むので、次の画像の選択および表示を迅速に行うことができる。
【００３２】
因みに、単一のモニタしか持たない従来カメラでは、表示すべき画像が選択されると、サムネイル表示を消して本画像表示を行わざるを得ないため、次の画像を選択するにあたってサムネイル表示に戻す操作が必要となり、操作性が悪い。
【００３３】
（９）サムネイル２画面表示（図１２）
本機能では、双方のモニタ１５，１６にサムネイル表示が行われる。従来カメラでは、３×３の９サムネイル表示が限界であったが、この９サムネイル表示を２画面で行うことで、合計１８のサムネイル表示となる。この場合、画像選択にあたって多くの選択肢を同時に表示できるので、選択を行い易い。画像選択がなされると、いずれかのモニタのサムネイル表示に代えて選択画像（本画像）が表示される。
【００３４】
（１０）本画像／拡大画像同時表示（図１３）
本機能では、一方のモニタにサムネイル表示から選択された本画像を標準倍率で表示すると同時に、他方のモニタにその本画像の一部を拡大して表示する。図１３は固定式モニタ１６に本画像を、開閉式モニタ１５に拡大画像を表示する例を示し、本画像には拡大表示に対応する箇所に枠線５１を重ねて表示する。こうすることで、拡大画像が本画像のいずれの部分を拡大したものであるかが容易に分かる。次の画像を選択するにはいずれかのモニタをサムネイル表示に戻す必要があるが、拡大画像の倍率を標準倍率に戻す必要はない。なお、所定操作により枠線５１を画面内で移動可能とし、これに連動して拡大される領域、つまり開閉式モニタ１５の画像が変更されるようにしてもよい。
【００３５】
因みに、単一のモニタしか持たない従来カメラでは、画像の拡大が指示されると、標準倍率の本画像に代えて拡大画像を表示する方式のため、双方の画像を同時に見ることはできない。このため本画像のいずれの部分の拡大画像かが分かりにくい。また、次の画像を選択するにあたって拡大画像を標準倍率の画像に元す操作が必要となり、使い勝手が悪い。
【００３６】
（１１）本画像／ＷＢバリエーション同時表示
本機能では、一方のモニタに選択された本画像を表示すると同時に、他方のモニタには、その画像に対してホワイトバランスを種々変更した複数のサムネイルを同時に表示する。一例として本画像を固定式モニタ１６に表示するようにすると、例えば図８のような表示となる。ただし、図８の表示はスルー画であるが、ここでは再生画である。開閉式モニタ１５に表示されたサムネイルから好みのホワイトバランスの画像を選択すると、そのホワイトバランスが本画像に反映されるように画像データのデジタル処理が行われる。これによれば、撮影済み画像に対するホワイトバランス調整をカメラ上で行える。
【００３７】
以上では、２つのモニタを同時に使用する際の機能を説明したが、電力消費量を減らしたい場合を考慮し、双方のモニタを同時に使用するか、一方のモニタのみを従来どおり使用するかを選択できるようにすることが望ましい。また、電池残量が一定値を下回った場合に自動的に一方のモニタが消灯されるようにしてもよい。さらに、開閉式モニタ１５を撮影者側に向けた状態で図２のように折り畳むと、固定式モニタ１６の画面１６ａは隠蔽され、画面１５ａのみが視認可能な状態となる。この場合は、自動的に固定式モニタ１６が消灯されるようにしてもよい。
【００３８】
さらに、再生モード時には、上記（５），（６）のようにモニタ１５，１６を撮影者と被撮影者とが同時に確認することはないと考えてよい。したがって、再生モード時に２つのモニタ１５，１６の視認角度が大きく異なる場合には、一方のモニタは視認されていないと判断し、これを消灯することが省電力の観点から望ましい。
【００３９】
これを実現するには、まず開閉式モニタ１５の固定式モニタ１６に対する角度を検出できるように、例えばＸ軸に角度センサ６１（図１４）を設ける。ＣＰＵ２７は、再生モードが設定されると角度センサ６１の出力を逐次モニタし、その検出角度が両モニタを同時に視認できない、あるいは視認しづらい角度範囲にある場合には、一方のモニタを消灯する。消灯するモニタはいずれでもよい。カメラ本体をいずれかに置いて再生画表示を行う場合には、フリーアングルの特性を生かせる開閉式モニタ１５を見やすい角度に調整して使用できるので、固定式モニタ１６を消灯するのが望ましい。一方、カメラを手に持って再生画表示を行う場合には、固定式モニタ１６の方が見やすい場合が多いので、開閉式モニタ１５を消灯する方がよい。したがって、いずれのモニタを消灯するかを撮影者が選択できるようにすることが望ましい。
【００４０】
また、開閉式および固定式のモニタを設けた例を示したが、２つの固定式モニタを並べて配置したものでもよい。ただし、この場合はカメラの大型化が余儀なくされるのに加えて、上記（５），（６）の機能は使用できない。上記（１）〜（１１）の機能は、これらを全て有している必要はなく、少なくともいずれか１個の機能を有するものでもよい。
【図面の簡単な説明】
【００４１】
【図１】本発明の一実施形態におけるデジタルスチルカメラの正面図。
【図２】デジタルスチルカメラの背面図で、開閉式モニタを閉じた状態を示す。
【図３】図２と同様の図で、開閉式モニタを開いた状態を示す。
【図４】カメラの制御系を示すブロック図。
【図５】スルー画／再生画同時表示の表示例を示す図。
【図６】スルー画／ヒストグラム同時表示の表示例を示す図。
【図７】スルー画／拡大画同時表示の表示例を示す図。
【図８】スルー画／ＷＢバリエーション同時表示の表示例を示す図。
【図９】スルー画２方向表示の表示例を示す図。
【図１０】スルー画／カウントダウン同時表示の表示例を示す図。
【図１１】再生モードにおける本画像／サムネイル同時表示の表示例を示す図。
【図１２】再生モードにおけるサムネイル２画面表示の表示例を示す図。
【図１３】再生モードにおける本画像／拡大画像同時表示の表示例を示す図。
【図１４】角度センサを設けた場合の制御ブロック図。
【符号の説明】
【００４２】
１０  カメラ本体
１１  撮影レンズ
１５  開閉式モニタ
１５ａ，１６ａ  表示画面
１６  固定式モニタ
２７  ＣＰＵ
３１  ヒストグラム表示
５１  枠線
６１  角度センサ
ＭＣ  メモリカード
【図１】
2006101466.tif 000003
【図２】
2006101466.tif 000004
【図３】
2006101466.tif 000005
【図４】
2006101466.tif 000006
【図５】
2006101466.tif 000007
【図６】
2006101466.tif 000008
【図７】
2006101466.tif 000009
【図８】
2006101466.tif 000010
【図９】
2006101466.tif 000011
【図１０】
2006101466.tif 000012
【図１１】
2006101466.tif 000013
【図１２】
2006101466.tif 000014
【図１３】
2006101466.tif 000015
【図１４】
2006101466.tif 000016